【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
運転者着座部（１６ａ）と同乗者着座部（１６ｂ）を有するシート（１６）と、
車体フレーム（２０）の前方側を覆うフロントカバー（４１）と、
前記シートの下方位置まで延設されるステップフロア（４５）と、
前記シートの前方に配置され、運転者の両足の間を仕切るように設けられるセンターカバー（４４）と、
前記シートの下方に配置されるサイドカバー（４７）と、
少なくとも前記ステップフロア及び前記センターカバーと色及び材質の少なくとも一方を異ならせる外観部品（６０）と、を備えるスクータ型車両の外装構造であって、
前記外観部品は、車両側面視において、前記シートの前記運転者着座部の下方で前記外観部品の後端部を前記サイドカバーの前端部に接合し、前記運転者着座部の下方から前記ステップフロアの前端部（４５ａ）を越えて前記フロントカバーの下方まで設けられることを特徴とするスクータ型車両の外装構造。
【請求項２】
前記外観部品（６０）は、前記センターカバー（４４）を上下に分割して車両前後方向に横断するように配置されることを特徴とする請求項１に記載のスクータ型車両の外装構造。
【請求項３】
前記外観部品（６０）は、車両側面視において、前記運転者着座部（１６ａ）の下方から前記フロントカバー（４１）の下方の間に、車両前方上方へ向けて傾斜する傾斜面（６０ａ）を備えることを特徴とする請求項２に記載のスクータ型車両の外装構造。
【請求項４】
前記傾斜面（６０ａ）は、少なくとも前記センターカバー（４４）に対応する部分に設けられることを特徴とする請求項３に記載のスクータ型車両の外装構造。
【請求項５】
前記外観部品（６０）は、車両側面視において、略直線状に形成されることを特徴とする請求項１〜４のいずれかに記載のスクータ型車両の外装構造。
【請求項６】
前記外観部品（６０）は、前記フロントカバー（４１）の前端部まで回り込むことを特徴とする請求項１〜５のいずれかに記載のスクータ型車両の外装構造。
【手続補正２】
【補正対象書類名】明細書
【補正対象項目名】０００６
【補正方法】変更
【補正の内容】
【０００６】
上記目的を達成するために、請求項１に記載の発明は、運転者着座部と同乗者着座部を有するシートと、車体フレームの前方側を覆うフロントカバーと、シートの下方位置まで延設されるステップフロアと、シートの前方に配置され、運転者の両足の間を仕切るように設けられるセンターカバーと、シートの下方に配置されるサイドカバーと、少なくともステップフロア及びセンターカバーと色及び材質の少なくとも一方を異ならせる外観部品と、を備えるスクータ型車両の外装構造であって、外観部品は、車両側面視において、シートの運転者着座部の下方で外観部品の後端部をサイドカバーの前端部に接合し、運転者着座部の下方からステップフロアの前端部を越えてフロントカバーの下方まで設けられることを特徴とする。
請求項２に記載の発明は、請求項１に記載の発明の構成に加えて、外観部品は、センターカバーを上下に分割して車両前後方向に横断するように配置されることを特徴とする。
請求項３に記載の発明は、請求項２に記載の発明の構成に加えて、外観部品は、車両側面視において、運転者着座部の下方からフロントカバーの下方の間に、車両前方上方へ向けて傾斜する傾斜面を備えることを特徴とする。
請求項４に記載の発明は、請求項３に記載の発明の構成に加えて、傾斜面は、少なくともセンターカバーに対応する部分に設けられることを特徴とする。
【手続補正３】
【補正対象書類名】明細書
【補正対象項目名】０００７
【補正方法】変更
【補正の内容】
【０００７】
請求項５に記載の発明は、請求項１〜４のいずれかに記載の発明の構成に加えて、外観部品は、車両側面視において、略直線状に形成されることを特徴とする。
【手続補正４】
【補正対象書類名】明細書
【補正対象項目名】０００８
【補正方法】変更
【補正の内容】
【０００８】
請求項６に記載の発明は、請求項１〜５のいずれかに記載の発明の構成に加えて、外観部品は、フロントカバーの前端部まで回り込むことを特徴とする。
【手続補正５】
【補正対象書類名】明細書
【補正対象項目名】０００９
【補正方法】変更
【補正の内容】
【０００９】
請求項１に記載のスクータ型車両の外装構造によれば、外観部品は、車両側面視において、シートの運転者着座部の下方で外観部品の後端部をサイドカバーの前端部に接合し、運転者着座部の下方からステップフロアの前端部を越えてフロントカバーの下方まで設けられるため、車両側面視における車両の前後方向長さに対して、外観部品を広い範囲で設けることができるので、車両のアクセント機能を向上することができる。さらに、運転者着座部の下方から車両前部へ外観部品を延ばしたので、同乗者を乗せた場合に同乗者の足によって外観部品が隠れるのを防ぐことができる。従って、車両に乗員が乗車している場合でも、車両のアクセント機能を十分に確保することができる。
【手続補正６】
【補正対象書類名】明細書
【補正対象項目名】００１０
【補正方法】変更
【補正の内容】
【００１０】
請求項５に記載のスクータ型車両の外装構造によれば、外観部品は、車両側面視において、略直線状に形成されるため、運転者の足により外観部品の一部が隠れたとしても、隠れた部分の前後から外観部品の全体像を容易に把握することができるので、車両のアクセント機能の低下を防止することができる。
【手続補正７】
【補正対象書類名】明細書
【補正対象項目名】００１１
【補正方法】変更
【補正の内容】
【００１１】
請求項６に記載のスクータ型車両の外装構造によれば、外観部品は、フロントカバーの前端部まで回り込むため、車両正面視から側面視にかけて連続した面を持たせることができるので、車両のアクセント機能をより向上することができる。また、車両の前部から後部にかけて一体感を持たせることができるので、車両の外観性を向上することができる。
【手続補正８】
【補正対象書類名】明細書
【補正対象項目名】００１９
【補正方法】変更
【補正の内容】
【００１９】
車体カバー４０は、図１及び図４に示すように、ヘッドパイプ２１の前方側及び前輪ＷＦの上方側を覆うフロントカバー４１と、フロントカバー４１に接合されて運転者の足の前方を覆うと共にヘッドパイプ２１の後方側を覆うレッグシールド４３と、乗車用シート１６の前方から下方にかけて配置されて運転者の両足の間を仕切るように設けられる左右一対のフロアセンターカバー４４と、フロアセンターカバー４４の下端部に沿って形成され、乗車用シート１６の下方位置まで延設されるステップフロア４５と、ステップフロア４５の外縁から下方に延びる左右一対のフロアサイドカバー４６と、乗車用シート１６の下方に配置されて後方に延びる左右一対のボディサイドカバー４７と、ボディサイドカバー４７の後方下部に連設される左右一対のリヤロアカバー４８と、左右一対のテールライトユニット１８の上方側を覆うリヤアッパーカバー４９と、リヤアッパーカバー４９に連設されて左右一対のテールライトユニット１８間に配置されるリヤセンターカバー５０と、を備える。
【手続補正９】
【補正対象書類名】明細書
【補正対象項目名】００２０
【補正方法】変更
【補正の内容】
【００２０】
そして、本実施形態では、図４〜図６に示すように、車体カバー４０は、車両側面視において、乗車用シート１６の運転者着座部１６ａの下方からステップフロア４５の前端部４５ａを越えてフロントカバー４１の下方まで設けられる外観部品６０を更に備える。
【手続補正１０】
【補正対象書類名】明細書
【補正対象項目名】００２１
【補正方法】変更
【補正の内容】
【００２１】
外観部品６０は、車両側面視において、略直線状に形成され、フロアセンターカバー４４を上下に分割して車両前後方向に横断するように配置される。また、外観部品６０の前端部はフロントカバー４１の前端部まで回り込むように形成される。また、外観部品６０の後端部は、車両側面視において、運転者着座部１６ａの下方でボディサイドカバー４７の前端部に接合される。また、外観部品６０は、車両側面視において、運転者着座部１６ａの下方からフロントカバー４１の下方の間に、車両前方上方へ向けて傾斜する傾斜面６０ａを備えており、この傾斜面６０ａは、少なくともフロアセンターカバー４４に対応する部分に設けられる。
【手続補正１１】
【補正対象書類名】明細書
【補正対象項目名】００２５
【補正方法】変更
【補正の内容】
【００２５】
フロントカバー４１の前部にはヘッドライト７０がそれぞれ配置され、ヘッドライト７０の下方且つ外観部品６０の下部にはウインカ７１がそれぞれ配置される。
【手続補正１２】
【補正対象書類名】明細書
【補正対象項目名】００２６
【補正方法】変更
【補正の内容】
【００２６】
また、フロントカバー４１及びレッグシールド４３の上部には、メータ類を配置するためのパネル５３が接合されており、このパネル５３の前部には上方に隆起するようにしてメータバイザ５４が一体に設けられる。さらに、メータバイザ５４の前方にはウインドシールド５５が設けられる。
【手続補正１３】
【補正対象書類名】明細書
【補正対象項目名】００３１
【補正方法】変更
【補正の内容】
【００３１】
以上説明したように、本実施形態のスクータ型車両の外装構造によれば、外観部品６０は、車両側面視において、乗車用シート１６の運転者着座部１６ａの下方で外観部品６０の後端部をボディサイドカバー４７の前端部に接合し、運転者着座部１６ａの下方からステップフロア４５の前端部４５ａを越えてフロントカバー４１の下方まで設けられるため、車両側面視における車両１０の前後方向長さに対して、外観部品６０を広い範囲で設けることができるので、車両１０のアクセント機能を向上することができる。さらに、運転者着座部１６ａの下方から車両前部へ外観部品６０を延ばしたので、同乗者を乗せた場合に同乗者の足によって外観部品６０が隠れるのを防ぐことができる。従って、車両１０に乗員が乗車している場合でも、車両１０のアクセント機能を十分に確保することができる。
【手続補正１４】
【補正対象書類名】明細書
【補正対象項目名】００４０
【補正方法】変更
【補正の内容】
【００４０】
１０      スクータ型車両
１６      乗車用シート
１６ａ    運転者着座部
１６ｂ    同乗者着座部
２０      車体フレーム
２１      ヘッドパイプ
２２      上ダウンフレーム
２３      下ダウンフレーム
２４      シートレール
２５      リヤフレーム
２６      サポートフレーム
２７      パッセンジャーステップ
４０      車体カバー
４１      フロントカバー
４３      レッグシールド
４４      フロアセンターカバー（センターカバー）
４５      ステップフロア
４５ａ    ステップフロアの前端部
４６      フロアサイドカバー
４６ａ    円弧部
４７      ボディサイドカバー（サイドカバー）
４７ａ    凹部
４８      リヤロアカバー
４９      リヤアッパーカバー
５０      リヤセンターカバー
６０      外観部品
６０ａ    傾斜面
ＷＦ      前輪
ＷＲ      後輪
ＵＥ      ユニットスイングエンジン
【手続補正１５】
【補正対象書類名】図面
【補正対象項目名】図１
【補正方法】変更
【補正の内容】
【図１】
2009126184.tif 000001
【手続補正１６】
【補正対象書類名】図面
【補正対象項目名】図４
【補正方法】変更
【補正の内容】
【図４】
2009126184.tif 000002
【手続補正１７】
【補正対象書類名】図面
【補正対象項目名】図５
【補正方法】変更
【補正の内容】
【図５】
2009126184.tif 000003
【手続補正１８】
【補正対象書類名】図面
【補正対象項目名】図６
【補正方法】変更
【補正の内容】
【図６】
2009126184.tif 000004